(57)【要約】  本開示は、リソース割当方法及び装置、基地局並びに端末を提供する。前記方法において、ＶＲＢ群を割当粒度として前記端末に割り当てる周波数領域リソースのリソース位置を指示するリソース割当指示情報を含むＤＣＩを端末に送信することを含む。【選択図】  図１
2021517418.tif 000002
【特許請求の範囲】
【請求項１】
基地局に適用されるリソース割当方法であって、
ＶＲＢ（Ｖｉｒｔｕａｌ  Ｒｅｓｏｕｒｃｅ  Ｂｌｏｃｋ）群を割当粒度として端末に割り当てる周波数領域リソースのリソース位置を指示するリソース割当指示情報を含むＤＣＩ（Ｄｏｗｎｌｉｎｋ  Ｃｏｎｔｒｏｌ  Ｉｎｆｏｒｍａｔｉｏｎ）を端末に送信することを含む、リソース割当方法。
【請求項２】
上位層シグナリング又はグループ共通（ｇｒｏｕｐ  ｃｏｍｍｏｎ）ＰＤＣＣＨ（Ｐｈｙｓｉｃａｌ  Ｄｏｗｎｌｉｎｋ  Ｃｏｎｔｒｏｌ  Ｃｈａｎｎｅｌ）に載せられたＬ１信号で前記ＶＲＢ群のサイズを端末に通知することを更に含む、請求項１に記載のリソース割当方法。
【請求項３】
現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定することを更に含む、請求項１に記載のリソース割当方法。
【請求項４】
式１：
【数４２】
2021517418.tif 000044
又は式２：
【数４３】
2021517418.tif 000045
で前記リソース割当指示情報のビット数を特定することを更に含み、
ここで、Ｇは、前記ＶＲＢ群のサイズであり、
【数４４】
2021517418.tif 000046
は、現在のシステム帯域幅又は活性帯域幅部分におけるＰＲＢ（Ｐｈｙｓｉｃａｌ  Ｒｅｓｏｕｒｃｅ  Ｂｌｏｃｋ）又はＶＲＢの数であり、且つＧは、１以上の整数である、請求項１に記載のリソース割当方法。
【請求項５】
端末に適用されるリソース割当方法であって、
ＶＲＢ群を割当粒度として前記端末に割り当てる周波数領域リソースのリソース位置を指示するリソース割当指示情報を含むＤＣＩを基地局から受信することと、
前記基地局により前記端末に割り当てる周波数領域リソースを前記リソース割当指示情報に基づいて特定することとを含む、リソース割当方法。
【請求項６】
前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得することを更に含む、請求項５に記載のリソース割当方法。
【請求項７】
現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定することを更に含む、請求項５に記載のリソース割当方法。
【請求項８】
前記の基地局により前記端末に割り当てる周波数領域リソースを前記リソース割当指示情報に基づいて特定することは、
前記ＶＲＢ群のサイズと現在のシステム帯域幅又は活性帯域幅部分のサイズに基づいて、前記リソース割当指示情報のビット数を特定することと、
基地局により割り当てるＶＲＢ群を前記リソース割当指示情報に基づいて特定することとを含む、請求項５に記載のリソース割当方法。
【請求項９】
前記の前記ＶＲＢ群のサイズと現在のシステム帯域幅又は活性帯域幅部分のサイズに基づいて、前記リソース割当指示情報のビット数を特定することにおいて、式１：
【数４５】
2021517418.tif 000047
又は式２：
【数４６】
2021517418.tif 000048
で前記リソース割当指示情報のビット数を特定し、ここで、Ｇは、前記ＶＲＢ群のサイズであり、
【数４７】
2021517418.tif 000049
は、現在のシステム帯域幅又は活性帯域幅部分におけるＰＲＢ又はＶＲＢの数であり、且つＧは、１以上の整数である、請求項８に記載のリソース割当方法。
【請求項１０】
メモリと、プロセッサと、トランシーバと、前記メモリに記憶された前記プロセッサで動作可能なコンピュータプログラムを含む基地局であって、
ここで、前記トランシーバは、ＶＲＢ群を割当粒度として端末に割り当てる周波数領域リソースのリソース位置を指示するリソース割当指示情報を含むＤＣＩを端末に送信する、基地局。
【請求項１１】
前記トランシーバは、更に、上位層シグナリング又はグループ共通（ｇｒｏｕｐ  ｃｏｍｍｏｎ）ＰＤＣＣＨに載せられたＬ１信号で前記ＶＲＢ群のサイズを端末に通知する、請求項１０に記載の基地局。
【請求項１２】
前記プロセッサは、現在のシステム帯域幅又は活性帯域幅部分のサイズ及び予めセットされたシステム帯域幅又は活性帯域幅部分と前記ＶＲＢ群のサイズとの対応関係に基づいて、ＶＲＢ群のサイズを特定する、請求項１０に記載の基地局。
【請求項１３】
前記プロセッサは、式１：
【数４８】
2021517418.tif 000050
又は式２：
【数４９】
2021517418.tif 000051
で前記リソース割当指示情報のビット数を特定し、ここで、Ｇは、ＶＲＢ群のサイズであり、
【数５０】
2021517418.tif 000052
は、現在のシステム帯域幅又は活性帯域幅部分におけるＰＲＢ又はＶＲＢの数であり、且つＧは、１以上の整数である、請求項１０に記載の基地局。
【請求項１４】
メモリと、プロセッサと、トランシーバと、前記メモリに記憶された前記プロセッサで動作可能なコンピュータプログラムを含む端末であって、
ここで、前記トランシーバは、ＶＲＢ群を割当粒度として前記端末に割り当てる周波数領域リソースのリソース位置を指示するリソース割当指示情報を含むＤＣＩを基地局から受信し、
前記プロセッサは、基地局により前記端末に割り当てる周波数領域リソースを前記リソース割当指示情報に基づいて特定する、端末。
【請求項１５】
前記トランシーバは、更に、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する、請求項１４に記載の端末。
【請求項１６】
前記プロセッサは、更に、現在のシステム帯域幅又は活性帯域幅部分のサイズ及び予めセットされたシステム帯域幅又は活性帯域幅部分と前記ＶＲＢ群のサイズとの対応関係に基づいて、ＶＲＢ群のサイズを特定する、請求項１４に記載の端末。
【請求項１７】
前記プロセッサは、更に、ＶＲＢ群のサイズと現在のシステム帯域幅又は活性帯域幅部分のサイズに基づいて、前記リソース割当指示情報のビット数を特定し、基地局より割り当てられるＶＲＢ群を前記リソース割当指示情報に基づいて特定する、請求項１４に記載の端末。
【請求項１８】
前記プロセッサは、式１：
【数５１】
2021517418.tif 000053
又は式２：
【数５２】
2021517418.tif 000054
で前記リソース割当指示情報のビット数を特定し、ここで、Ｇは、ＶＲＢ群のサイズであり、
【数５３】
2021517418.tif 000055
は、現在のシステム帯域幅又は活性帯域幅部分におけるＰＲＢ又はＶＲＢの数であり、且つＧは、１以上の整数である、請求項１７に記載の端末。
【請求項１９】
基地局に適用されるリソース割当装置であって、
ＶＲＢ群を割当粒度として端末に割り当てる周波数領域リソースのリソース位置を指示するリソース割当指示情報を含むＤＣＩを端末に送信する送信モジュールを含む、リソース割当装置。
【請求項２０】
前記送信モジュールは、更に、上位層シグナリング又はグループ共通（ｇｒｏｕｐ  ｃｏｍｍｏｎ）ＰＤＣＣＨに載せられたＬ１信号で前記ＶＲＢ群のサイズを端末に通知する、請求項１９に記載のリソース割当装置。
【請求項２１】
現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する第１処理モジュールを更に含む、請求項１９に記載のリソース割当装置。
【請求項２２】
式１：
【数５４】
2021517418.tif 000056
又は式２：
【数５５】
2021517418.tif 000057
で前記リソース割当指示情報のビット数を特定する第２処理モジュールを更に含み、ここで、Ｇは、ＶＲＢ群のサイズであり、
【数５６】
2021517418.tif 000058
は、現在のシステム帯域幅又は活性帯域幅部分におけるＰＲＢ又はＶＲＢの数であり、且つＧは、１以上の整数である、請求項１９に記載のリソース割当装置。
【請求項２３】
端末に適用されるリソース割当装置であって、
ＶＲＢ群を割当粒度として前記端末に割り当てる周波数領域リソースのリソース位置を指示するリソース割当指示情報を含むＤＣＩを基地局から受信する受信モジュールと、
基地局により前記端末に割り当てる周波数領域リソースを前記リソース割当指示情報に基づいて特定する判定モジュールとを含む、リソース割当装置。
【請求項２４】
前記受信モジュールは、更に、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する、請求項２３に記載のリソース割当装置。
【請求項２５】
前記判定モジュールは、更に、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する、請求項２３に記載のリソース割当装置。
【請求項２６】
前記判定モジュールは、更に、ＶＲＢ群のサイズと現在のシステム帯域幅又は活性帯域幅部分のサイズに基づいて、前記リソース割当指示情報のビット数を特定し、基地局により割り当てるＶＲＢ群を前記リソース割当指示情報に基づいて特定する、請求項２３に記載のリソース割当装置。
【請求項２７】
前記判定モジュールは、式１：
【数５７】
2021517418.tif 000059
又は式２：
【数５８】
2021517418.tif 000060
で前記リソース割当指示情報のビット数を特定し、ここで、Ｇは、ＶＲＢ群のサイズであり、
【数５９】
2021517418.tif 000061
は、現在のシステム帯域幅又は活性帯域幅部分におけるＰＲＢ又はＶＲＢの数であり、且つＧは、１以上の整数である、請求項２６に記載のリソース割当装置。
【請求項２８】
コンピュータプログラムが記憶されているコンピュータ読み取り可能な記憶媒体であって、
前記コンピュータプログラムがプロセッサによって実行されると、請求項１〜４のいずれか１項に記載のリソース割当方法又は請求項５〜９のいずれか１項に記載のリソース割当方法が実現される、コンピュータ読み取り可能な記憶媒体。
【発明の詳細な説明】
【技術分野】
【０００１】
本願は、２０１８年４月４日に中国特許庁に提出された中国特許出願２０１８１０３０１９９６．８の優先権を主張し、その全ての内容が援用によりここに取り込まれる。
本開示は、無線通信技術分野に係り、特にリソース割当方法及び装置、基地局並びに端末に係る。
【背景技術】
【０００２】
従来技術のリソース割当方式では、データ伝送周波数領域リソース割当のビットフィールド（ｂｉｔｆｉｅｌｄ）長を指示する情報をＤＣＩ（Ｄｏｗｎｌｉｎｋ  Ｃｏｎｔｒｏｌ  Ｉｎｆｏｒｍａｔｉｏｎ）に付帯する。ここでＤＣＩによって指示されるデータ伝送周波数領域リソース割当のビットフィールド（ｂｉｔｆｉｅｌｄ）長は、通常、現在のスケジューリング帯域幅のサイズによって特定される。
【０００３】
現在のリソース割当方法では、周波数領域リソース割当粒度は、一定であり、リソース割当粒度の柔軟な設定や調節をサポートしていない。しかし、将来の移動通信システムでは、スケジューリング帯域幅は、基地局の設定に応じて柔軟に多変である必要がある。統一されたリソース割当粒度を採用すると、スケジューリングの柔軟性が制限されるため、サービスタイプによっては、異なるリソース割当粒度が必要となる。
【発明の概要】
【発明が解決しようとする課題】
【０００４】
本開示の目的は、従来技術のリソース割当方法ではリソース割当粒度の柔軟な設定や調節をサポートできないという問題を解決するために、リソース割当方法及び装置、基地局並びに端末を提供することにある。
【課題を解決するための手段】
【０００５】
上記目的を達成するために、本開示は、基地局に適用されるリソース割当方法を提供する。前記方法において、ＶＲＢ（Ｖｉｒｔｕａｌ  Ｒｅｓｏｕｒｃｅ  Ｂｌｏｃｋ）群を割当粒度として端末に割り当てる周波数領域リソースのリソース位置を指示するリソース割当指示情報を含むＤＣＩ（Ｄｏｗｎｌｉｎｋ  Ｃｏｎｔｒｏｌ  Ｉｎｆｏｒｍａｔｉｏｎ）を端末に送信することを含む。
【０００６】
選択可能に、前記リソース割当方法において、上位層シグナリング又はグループ共通（ｇｒｏｕｐ  ｃｏｍｍｏｎ）ＰＤＣＣＨ（Ｐｈｙｓｉｃａｌ  Ｄｏｗｎｌｉｎｋ  Ｃｏｎｔｒｏｌ  Ｃｈａｎｎｅｌ）に載せられたＬ１信号で前記ＶＲＢ群のサイズを端末に通知することを更に含む。
【０００７】
選択可能に、前記リソース割当方法において、現在のシステム帯域幅又は活性帯域幅部分のサイズ及び予めセットされたシステム帯域幅又は活性帯域幅部分とＶＲＢ群のサイズとの対応関係に基づいて、ＶＲＢ群のサイズを特定することを更に含む。
【０００８】
選択可能に、前記リソース割当方法において、式１：
【数１】
2021517418.tif 000003
又は式２：
【数２】
2021517418.tif 000004
で前記リソース割当指示情報のビット数を特定することを更に含み、ここで、Ｇは、ＶＲＢ群のサイズであり、
【数３】
2021517418.tif 000005
は、現在のシステム帯域幅又は活性帯域幅部分におけるＰＲＢ（Ｐｈｙｓｉｃａｌ  Ｒｅｓｏｕｒｃｅ  Ｂｌｏｃｋ）又はＶＲＢの数であり、且つＧは、１以上の整数である。
【０００９】
本開示の実施例は、端末に適用されるリソース割当方法を更に提供する。前記方法において、ＶＲＢ群を割当粒度として前記端末に割り当てる周波数領域リソースのリソース位置を指示するリソース割当指示情報を含むＤＣＩを基地局から受信することと、前記基地局により前記端末に割り当てる周波数領域リソースを前記リソース割当指示情報に基づいて特定することとを含む。
【００１０】
選択可能に、前記リソース割当方法において、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する。
【００１１】
選択可能に、前記リソース割当方法において、現在のシステム帯域幅又は活性帯域幅部分のサイズ及び予めセットされたシステム帯域幅又は活性帯域幅部分とＶＲＢ群のサイズとの対応関係に基づいて、ＶＲＢ群のサイズを特定することを更に含む。
【００１２】
選択可能に、前記リソース割当方法において、前記の前記基地局により前記端末に割り当てる周波数領域リソースを前記リソース割当指示情報に基づいて特定することは、ＶＲＢ群のサイズと現在のシステム帯域幅又は活性帯域幅部分のサイズに基づいて、前記リソース割当指示情報のビット数を特定することと、基地局により割り当てるＶＲＢ群を前記リソース割当指示情報に基づいて特定することとを含む。
【００１３】
選択可能に、前記リソース割当方法において、前記のＶＲＢ群のサイズと現在のシステム帯域幅又は活性帯域幅部分のサイズに基づいて、前記リソース割当指示情報のビット数を特定することにおいて、式１：
【数４】
2021517418.tif 000006
又は式２：
【数５】
2021517418.tif 000007
で前記リソース割当指示情報のビット数を特定し、ここで、Ｇは、ＶＲＢ群のサイズであり、
【数６】
2021517418.tif 000008
は、現在のシステム帯域幅又は活性帯域幅部分におけるＰＲＢ又はＶＲＢの数であり、且つＧは、１以上の整数である。
【００１４】
本開示の実施例は、メモリと、プロセッサと、トランシーバと、前記メモリに記憶された前記プロセッサで動作可能なコンピュータプログラムを含む基地局を更に提供する。ここで、前記トランシーバは、ＶＲＢ群を割当粒度として端末に割り当てる周波数領域リソースのリソース位置を指示するリソース割当指示情報を含むＤＣＩを端末に送信する。
【００１５】
選択可能に、前記基地局において、前記トランシーバは、更に、上位層シグナリング又はグループ共通（ｇｒｏｕｐ  ｃｏｍｍｏｎ）ＰＤＣＣＨに載せられたＬ１信号で前記ＶＲＢ群のサイズを端末に通知する。
【００１６】
選択可能に、前記基地局において、前記プロセッサは、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する。
【００１７】
選択可能に、前記基地局において、前記プロセッサは、式１：
【数７】
2021517418.tif 000009
又は式２：
【数８】
2021517418.tif 000010
で前記リソース割当指示情報のビット数を特定し、ここで、Ｇは、前記ＶＲＢ群のサイズであり、
【数９】
2021517418.tif 000011
は、現在のシステム帯域幅又は活性帯域幅部分におけるＰＲＢ又はＶＲＢの数であり、且つＧは、１以上の整数である。
【００１８】
本開示の実施例は、メモリと、プロセッサと、トランシーバと、前記メモリに記憶された前記プロセッサで動作可能なコンピュータプログラムを含む端末を更に提供する。ここで、前記トランシーバは、ＶＲＢ群を割当粒度として前記端末に割り当てる周波数領域リソースのリソース位置を指示するリソース割当指示情報を含むＤＣＩを基地局から受信し、前記プロセッサは、基地局により前記端末に割り当てる周波数領域リソースを前記リソース割当指示情報に基づいて特定する。
【００１９】
選択可能に、前記端末において、前記トランシーバは、更に、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する。
【００２０】
選択可能に、前記端末において、前記プロセッサは、更に、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する。
【００２１】
選択可能に、前記端末において、前記プロセッサは、更に、前記ＶＲＢ群のサイズと現在のシステム帯域幅又は活性帯域幅部分のサイズに基づいて、前記リソース割当指示情報のビット数を特定し、基地局により割り当てるＶＲＢ群を前記リソース割当指示情報に基づいて特定する。
【００２２】
選択可能に、前記端末において、前記プロセッサは、式１：
【数１０】
2021517418.tif 000012
又は式２：
【数１１】
2021517418.tif 000013
で前記リソース割当指示情報のビット数を特定し、ここで、Ｇは、前記ＶＲＢ群のサイズであり、
【数１２】
2021517418.tif 000014
は、現在のシステム帯域幅又は活性帯域幅部分におけるＰＲＢ又はＶＲＢの数であり、且つＧは、１以上の整数である。
【００２３】
本開示の実施例は、基地局に適用されるリソース割当装置を更に提供する。前記装置は、ＶＲＢ群を割当粒度として端末に割り当てる周波数領域リソースのリソース位置を指示するリソース割当指示情報を含むＤＣＩを端末に送信する送信モジュールを含む。
【００２４】
選択可能に、前記リソース割当装置において、前記送信モジュールは、更に、上位層シグナリング又はグループ共通（ｇｒｏｕｐ  ｃｏｍｍｏｎ）ＰＤＣＣＨに載せられたＬ１信号で前記ＶＲＢ群のサイズを端末に通知する。
【００２５】
選択可能に、前記リソース割当装置において、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する第１処理モジュールを更に含む。
【００２６】
選択可能に、前記リソース割当装置において、式１：
【数１３】
2021517418.tif 000015
又は式２：
【数１４】
2021517418.tif 000016
で前記リソース割当指示情報のビット数を特定する第２処理モジュールを更に含み、ここで、Ｇは、前記ＶＲＢ群のサイズであり、
【数１５】
2021517418.tif 000017
は、現在のシステム帯域幅又は活性帯域幅部分におけるＰＲＢ又はＶＲＢの数であり、且つＧは、１以上の整数である。
【００２７】
本開示の実施例は、端末に適用されるリソース割当装置を更に提供し、ＶＲＢ群を割当粒度として前記端末に割り当てる周波数領域リソースのリソース位置を指示するリソース割当指示情報を含むＤＣＩを基地局から受信する受信モジュールと、基地局により前記端末に割り当てる周波数領域リソースを前記リソース割当指示情報に基づいて特定する判定モジュールとを含む。
【００２８】
選択可能に、前記リソース割当装置において、前記受信モジュールは、更に、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する。
【００２９】
選択可能に、前記リソース割当装置において、前記判定モジュールは、更に、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する。
【００３０】
選択可能に、前記リソース割当装置において、前記判定モジュールは、更に、前記ＶＲＢ群のサイズと現在のシステム帯域幅又は活性帯域幅部分のサイズに基づいて、前記リソース割当指示情報のビット数を特定し、基地局により割り当てるＶＲＢ群を前記リソース割当指示情報に基づいて特定する。
【００３１】
選択可能に、前記リソース割当装置において、前記判定モジュールは、式１：
【数１６】
2021517418.tif 000018
又は式２：
【数１７】
2021517418.tif 000019
で前記リソース割当指示情報のビット数を特定し、ここで、Ｇは、前記ＶＲＢ群のサイズであり、
【数１８】
2021517418.tif 000020
は、現在のシステム帯域幅又は活性帯域幅部分におけるＰＲＢ又はＶＲＢの数であり、且つＧは、１以上の整数である。
【００３２】
本開示の実施例は、コンピュータプログラムが記憶されているコンピュータ読み取り可能な記憶媒体を更に提供し、前記コンピュータプログラムがプロセッサによって実行されると、以上のいずれ１項に記載のリソース割当方法が実現される。
【発明の効果】
【００３３】
本開示の実施例に係るリソース割当方法は、ＶＲＢ（Ｖｉｒｔｕａｌ  Ｒｅｓｏｕｒｃｅ  Ｂｌｏｃｋ）群を単位として、データ伝送のリソースを端末に割り当て、割り当てるＶＲＢ群のサイズを端末に指示し、リソース割当指示情報のビット数として、ＶＲＢ群のサイズに基づいて特定され、現在のシステム帯域幅又はＢＷＰのサイズに基づいて調節でき、ＰＲＢ（Ｐｈｙｓｉｃａｌ  Ｒｅｓｏｕｒｃｅ  Ｂｌｏｃｋ）レベルのリソース割当粒度のみに限定されないため、リソース割当粒度の柔軟な設定や調節をサポートでき、従来技術のリソース割当方法ではリソース割当粒度の柔軟な設定や調節をサポートできないという問題を解決する。
【図面の簡単な説明】
【００３４】
【図１】本開示の実施例に係るリソース割当方法のフローチャートその１である。
【図２】本開示の実施例に係るリソース割当方法のフローチャートその２である。
【図３】本開示の実施例に係るリソース割当方法のフローチャートの一部である。
【図４】本開示の実施例に係るリソース割当方法で割り当てられるリソースの概略図その１である。
【図５】本開示の実施例に係るリソース割当方法で割り当てられるリソースの概略図その２である。
【図６】本開示の実施例に係るリソース割当方法で割り当てられるリソースの概略図その３である。
【図７】本開示の実施例に係る基地局の構造図である。
【図８】本開示の実施例に係る端末の構造図である。
【図９】本開示の実施例に係るリソース割当装置の構造図その１である。
【図１０】本開示の実施例に係るリソース割当装置の構造図その２である。
【図１１】ＶＲＢの概略図その１である。
【図１２】ＶＲＢの概略図その２である。
【発明を実施するための形態】
【００３５】
本開示の解決しようとする技術課題、技術手段及び利点をより明確にするために、以下、図面及び具体的な実施例とともに詳細に記載する。
【００３６】
本開示は、従来技術においてＤＣＩによって指示されるデータ伝送周波数領域リソース割当のビットフィールド（ｂｉｔｆｉｅｌｄ）長が一般的には現在のスケジューリング帯域幅のサイズによって特定され、リソース割当粒度の柔軟な配置や調節をサポートできないという問題に対し、ＶＲＢ（Ｖｉｒｔｕａｌ  Ｒｅｓｏｕｒｃｅ  Ｂｌｏｃｋ）群を単位として、データ伝送のリソースを端末に割り当て、割り当てるＶＲＢ群のサイズを端末に指示することによって、端末のリソース割当粒度を柔軟に設定や調節する目的を達成するリソース割当方法を提供する。
【００３７】
図１は、本発明の実施例に係るリソース割当方法の１つのフローチャートである。図１を参照すると、本開示の実施例に係るリソース割当方法は、基地局に適用される場合、ＶＲＢ群を割当粒度として前記端末に割り当てる周波数領域リソースのリソース位置を指示するリソース割当指示情報を含むＤＣＩを端末に送信するステップＳ１１０を含む。
【００３８】
本開示の実施例において、前記ＶＲＢ群のサイズは、１以上の整数であり、基地局が割り当てる１つのＶＲＢ群のサイズを示し、すなわち、１つのＶＲＢ群に含まれるＶＲＢの数を示す。
【００３９】
一方、本開示の実施例において、前記リソース割当方法は、ＶＲＢ群のサイズを明示的シグナリングの方式で端末に送信することを更に含み、それによって、端末は、該ＶＲＢ群のサイズを取得し、該ＶＲＢ群のサイズとリソース割当指示情報とに基づいて、基地局により端末に割り当てる周波数領域リソースを特定する。選択可能に、本開示の実施例において、基地局は、該ＶＲＢ群のサイズを上位層シグナリング又はグループ共通（ｇｒｏｕｐ  ｃｏｍｍｏｎ）ＰＤＣＣＨ（Ｐｈｙｓｉｃａｌ  Ｄｏｗｎｌｉｎｋ  Ｃｏｎｔｒｏｌ  Ｃｈａｎｎｅｌ）に載せられたＬ１信号で端末に通知する。
【００４０】
更に、ＶＲＢ群のサイズは、予め定義された値であってもよく、現在のシステム帯域幅又は活性帯域幅部分ＢＷＰ（Ｂａｎｄｗｉｄｔｈ  Ｐａｒｔ）のサイズと、該ＶＲＢ群のサイズとの間には予めセットされた対応関係があり、現在のシステム帯域幅又は活性ＢＷＰのサイズ及び予めセットされた対応関係に基づいて、ＶＲＢ群のサイズを特定する。
【００４１】
本開示の実施例において、前記方法は、ステップＳ１１０におけるリソース割当指示情報のビット数を、以下の式１又は式２で特定することを更に含む。
式１：
【数１９】
2021517418.tif 000021
式２：
【数２０】
2021517418.tif 000022
ここで、Ｇは、前記ＶＲＢ群のサイズであり、
【数２１】
2021517418.tif 000023
は、現在のシステム帯域幅又は活性帯域幅部分におけるＰＲＢ又はＶＲＢの数である。
【００４２】
上記のセットされたパラメータの値に応じて、式１又は式２を用いて算出した値は、ステップＳ１１０におけるリソース割当指示情報のビット数となる。
【００４３】
また、リソース割当指示情報のビット数が式２で特定される場合、基地局が端末に割り当てるｍ個のリソースユニットのサイズは、ＶＲＢ群のサイズＧである。すなわち、ｍ個のリソースユニットの各々は、１つのＶＲＢ群を含み、各ＶＲＢ群は、Ｇ個のＶＲＢを含み、残りの１つのリソースユニットのサイズは、
【数２２】
2021517418.tif 000024
である。
ここで、ｍの算出方式は、
【数２３】
2021517418.tif 000025
である。
式１と式２と同様に、Ｇは、前記ＶＲＢ群のサイズであり、
【数２４】
2021517418.tif 000026
は、現在のシステム帯域幅又は活性帯域幅部分におけるＰＲＢ又はＶＲＢの数である。
【００４４】
本開示の実施例に係るリソース割当方法は、端末にデータ伝送リソースを割り当てる際に、ＶＲＢ群をリソース割当の基本単位として、特定されたＶＲＢ群のサイズＧに基づいて、周波数領域リソースの割当を指示するための、ＤＣＩに含まれるリソース割当指示情報のビット数を特定する。従って、リソース割当指示情報のビット数は、ＶＲＢ群のサイズＧに基づいて特定され、現在のシステム帯域幅又は活性化ＢＷＰのサイズに応じて調節されてもよく、ＤＣＩのベアラサイズに応じて調節されてよく、ＰＲＢ（Ｐｈｙｓｉｃａｌ  Ｒｅｓｏｕｒｃｅ  Ｂｌｏｃｋ）レベルのリソース割当粒度のみに限定されないので、リソース割当粒度の柔軟な設定や調節をサポートでき、従来技術のリソース割当方法ではリソース割当粒度の柔軟な設定や調節をサポートできないという問題を解決する。
【００４５】
選択可能に、本開示の実施例に係るリソース割当方法において、ＤＣＩは、端末にデータ伝送のために割り当てられた連続的なＶＲＢ群をリソース割当指示情報によって指示する。
【００４６】
選択可能に、本開示の実施例に係るリソース割当方法において、基地局は、ＤＣＩにおけるリソース割当指示情報のビット数特定方式を端末と予め約束する。
【００４７】
図２は、本開示の実施例に係るリソース割当方法の別のフローチャートである。図２を参照すると、本開示の実施例に係るリソース割当方法は、端末に適用される場合、ＶＲＢ群を割当粒度として前記端末に割り当てる周波数領域リソースのリソース位置を指示するリソース割当指示情報を含むＤＣＩを基地局から受信するステップＳ２１０と、基地局により前記端末に割り当てる周波数領域リソースを前記リソース割当指示情報に基づいて特定するステップＳ２２０とを含む。
【００４８】
本開示の実施例に係るリソース割当方法によれば、端末は、ＤＣＩに付帯するリソース割当指示情報に基づいて、基地局から端末に割り当てるＶＲＢ群を特定する。
【００４９】
また、本開示の実施例の１つの実施形態において、端末は、ＶＲＢ群のサイズを、基地局から送信される明示的シグナリングの方式で予め取得し、該ＶＲＢ群のサイズとリソース割当指示情報とに基づいて、基地局により端末に割り当てる周波数領域リソースを特定する。
【００５０】
具体的に、端末は、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する。
【００５１】
本開示の実施例の別の実施形態において、ＶＲＢ群のサイズは、予め定義された値であってもよく、現在のシステム帯域幅又は活性帯域幅部分ＢＷＰ（Ｂａｎｄｗｉｄｔｈ  Ｐａｒｔ）のサイズと、ＶＲＢ群のサイズとの間には予めセットされた対応関係があり、現在のシステム帯域幅又は活性ＢＷＰのサイズ及び予めセットされた対応関係に基づいて、ＶＲＢ群のサイズを特定する。
【００５２】
従って、前記方法は、現在のシステム帯域幅又は活性帯域幅部分のサイズ及び予めセットされたシステム帯域幅又は活性帯域幅部分と前記ＶＲＢ群のサイズとの対応関係に基づいて、ＶＲＢ群のサイズを特定することを更に含む。
【００５３】
更に、図２に関連して図３に示されるように、ステップＳ２１０の後に、前記方法は、ＶＲＢ群のサイズと現在のシステム帯域幅又は活性帯域幅部分のサイズに基づいて、前記リソース割当指示情報のビット数を特定するステップＳ３１０と、基地局により割り当てるＶＲＢ群をリソース割当指示情報に基づいて特定するステップＳ３２０とを更に含む。
【００５４】
具体的には、ステップＳ３１０において、前記リソース割当指示情報のビット数を、式１又は式２で特定する。
式１：
【数２５】
2021517418.tif 000027
式２：
【数２６】
2021517418.tif 000028
ここで、Ｇは、前記ＶＲＢ群のサイズであり、
【数２７】
2021517418.tif 000029
は、現在のシステム帯域幅又は活性帯域幅部分におけるＰＲＢ又はＶＲＢの数であり、且つＧは、１以上の整数である。
【００５５】
上記のセットされたパラメータの数値に基づいて、式１又は式２を用いて算出した値が、ステップＳ３１０におけるリソース割当指示情報のビット数となり、更に、ＤＣＩにおけるリソース割当指示情報の開始位置から、リソース割当指示情報全体を得ることができる。
【００５６】
例えば、端末のデータ伝送が位置するシステム帯域幅又はＢＷＰが１１個のＰＲＢを含み、且つ端末に割り当てる周波数領域リソースが連続したＶＲＢ群であることを、基地局がリソース割当指示情報によって指示し、且つＶＲＢ群のサイズＧ＝２を端末が上位層シグナリングによって取得する場合、基地局により割り当てるＶＲＢ群のサイズＧ＝２とシステム帯域幅又は活性化ＢＷＰのサイズとに基づいて、リソース割当指示情報の長さ（ビット数）を特定する計算方式は、以下の式を採用できる。
【数２８】
2021517418.tif 000030
【００５７】
すなわち、上記の式１を用いる場合、算出したリソース割当指示情報のビット数は、４  ｂｉｔである。
【００５８】
更に、リソース割当指示情報が１０００＝８の場合、ＶＲＢとＰＲＢのリソースマッピング関係から、基地局がＤＣＩにおけるリソース割当指示情報によって割り当てるリソースを図４に示すように特定する。図１１に関連して、基地局は、割り当てるＶＲＢ群の開始位置及び数を、ジョイントコーディングにより１つの数字に一対一に対応付ける。端末は、リソース割当指示情報に基づいて、ＶＲＢ群の開始位置及び割り当てられるＶＲＢ群の数を特定することによって、具体的なリソース割当状況を特定し、図４及び図１１を併せて参照し、基地局により端末に割り当てるリソースがＶＲＢ群＃３及びＶＲＢ群＃４であると特定できる。
【００５９】
当業者は、上記で言及したＶＲＢとＰＲＢのリソースマッピング関係及びＶＲＢにおける符号化方式を理解することができるので、本開示の技術手段の内容から、本開示の実施例に記載の方法を用いて、リソース割当指示情報に基づいて、基地局により端末に割り当てるＶＲＢ群の具体的な方式を特定することができ、ここで詳しく説明しない。
【００６０】
本開示の実施例に記載の方法の別の実施形態において、端末のデータ伝送が位置するシステム帯域幅又は活性化ＢＷＰが１１個のＰＲＢを含む場合、端末は、ＶＲＢ群のサイズＧ＝２を上位層シグナリングによって取得し、リソース割当指示情報の長さ（ビット数）を特定する計算方式は、以下の式を用いることができる。
【数２９】
2021517418.tif 000031
【００６１】
すなわち、上記の式２を用いる場合、算出したリソース割当指示情報のビット数は、５  ｂｉｔである。
【００６２】
このとき、リソース割当指示情報が０１１０１＝１３であれば、ＶＲＢとＰＲＢのリソースマッピング関係から、基地局がＤＣＩにおけるリソース割当指示情報によって割り当てるリソースを図５のように特定でき、図１２に関連し、基地局は、割り当てるＶＲＢ群の開始位置及び数をジョイントコーディングによって１つの数字に一対一に対応付ける。端末は、前記指示情報に基づいて、ＶＲＢ群の開始位置及び割り当てるＶＲＢ群の数を特定し、具体的なリソース割当状況を特定する。図５に示すように、基地局により端末に割り当てるリソースは、ＶＲＢ群＃１、ＶＲＢ群＃２及びＶＲＢ群＃３である。リソース割当指示情報が０１０１０＝１０の場合、基地局がＤＣＩにおけるリソース割当指示情報によって割り当てるリソースは、ＶＲＢとＰＲＢのリソースマッピング関係から、図６に示すように特定する。以上の原理により、基地局により端末に割り当てるリソースは、ＶＲＢ群＃４とＶＲＢ群＃５であると特定できる。
【００６３】
以上、本開示の実施例に係るリソース割当方法は、上位層シグナリングを介してＶＲＢ群のサイズを取得し、端末のデータ伝送が位置するシステム帯域幅又は活性ブＢＷＰに含まれるＰＲＢの数を例示して説明し、異なる方式でリソース割当指示情報の長さを特定でき、更に基地局により端末に割り当てる周波数領域リソースの具体的な方式を特定することを詳細に説明した。上記原理に基づいて、本開示の実施例に係るリソース割当方法を採用する場合の複数の異なる適用シナリオの具体的な実行プロセスを当業者が理解することができ、ここでは詳細に説明しない。
【００６４】
図７は、本開示の実施例に係る基地局の構造図である。該基地局は、プロセッサ７００と、バスインタフェース７３０を介して前記プロセッサ７００に接続されるメモリ７２０と、バスインタフェースを介してプロセッサ７００に接続されるトランシーバ７１０とを含む。前記メモリ７２０は、前記プロセッサが動作を実行する際に使用するプログラムやデータを記憶する。前記トランシーバ７１０を介してデータ情報やパイロットを送信するとともに、トランシーバ７１０を介して上り制御チャネルを受信する。プロセッサ７００が前記メモリ７２０に記憶されたプログラムやデータを呼び出して実行することにより、以下の機能モジュールとを実現する。プロセッサ７００は、メモリ７２０のプログラムを読み取り、前記トランシーバ７１０は、ＶＲＢ群を割当粒度として端末に割り当てる周波数領域リソースのリソース位置を指示するリソース割当指示情報を含むＤＣＩを端末に送信するプロセスを実行する。
【００６５】
選択可能に、本開示の実施例において、トランシーバ７１０は、更に、上位レイヤシグナリング又はグループ共通（ｇｒｏｕｐ  ｃｏｍｍｏｎ）ＰＤＣＣＨに載せられたＬ１信号で前記ＶＲＢ群のサイズを端末に通知する。
【００６６】
本開示の実施例において、トランシーバ７１０は、更に、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する。
【００６７】
更に、プロセッサ７００は、式１：
【数３０】
2021517418.tif 000032
又は式２：
【数３１】
2021517418.tif 000033
で前記リソース割当指示情報のビット数を特定する。
ここで、Ｇは、前記ＶＲＢ群のサイズであり、
【数３２】
2021517418.tif 000034
は、現在のシステム帯域幅又は活性帯域幅部分におけるＰＲＢ又はＶＲＢの数であり、且つＧは、１以上の整数である。
【００６８】
また、図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。プロセッサ７００は、バスアーキテクチャと通常の処理を管理する。メモリ７２０は、プロセッサ７００による作業時に使用されるデータを記憶できる。
【００６９】
当業者であれば、上述の実施例を実現するステップの全て又は一部は、ハードウェアによって実行されてもよく、上述の方法のステップの一部又は全てを実行する命令を含むコンピュータプログラムによって関連ハードウェアを指示して実行されてもよい。また、該コンピュータプログラムは、読み取り可能な記憶媒体に記憶されていてもよく、記憶媒体は、任意の形式の記憶媒体であってもよい。
【００７０】
本開示の実施例による基地局は、上記の方法実施例を実行可能であり、その実現原理及び技術的効果が類似であるため、本実施例においてここでは繰り返して記載しない。
【００７１】
図８は、本開示の実施例に係る端末の構成図である。該端末は、プロセッサ８０１と、バスインタフェース８０２を介してプロセッサ８０１に接続されるメモリ８０３と、バスインタフェース８０２に接続されるトランシーバ８０４を含む。前記メモリ８０３は、前記プロセッサ８０１による動作実行に用いられるプログラムやデータを記憶する。プロセッサ８０１は、前記メモリ８０３に記憶されているプログラムやデータを呼び出して実行し、トランシーバ８０４は、プロセッサ８０１による制御でデータを送受信する。
【００７２】
本開示の実施例において、前記トランシーバ８０４は、ＶＲＢ群を割当粒度として前記端末に割り当てる周波数領域リソースのリソース位置を指示するリソース割当指示情報を含むＤＣＩを基地局から受信し、前記プロセッサ８０１は、基地局により前記端末に割り当てる周波数領域リソースを前記リソース割当指示情報に基づいて特定する。
【００７３】
選択可能に、前記トランシーバ８０４は、更に、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する。
【００７４】
選択可能に、前記プロセッサ８０１は、更に、現在のシステム帯域幅又は活性帯域幅部分のサイズ及び予めセットされたシステム帯域幅又は活性帯域幅部分と前記ＶＲＢ群のサイズとの対応関係に基づいて、ＶＲＢ群のサイズを特定する。
【００７５】
選択可能に、前記プロセッサ８０１は、更に、前記ＶＲＢ群のサイズと現在のシステム帯域幅又は活性帯域幅部分のサイズに基づいて、前記リソース割当指示情報のビット数を特定し、基地局により割り当てるＶＲＢ群を前記リソース割当指示情報に基づいて特定する。
【００７６】
選択可能に、前記プロセッサ８０１は、式１：
【数３３】
2021517418.tif 000035
又は式２：
【数３４】
2021517418.tif 000036
で前記リソース割当指示情報のビット数を特定する。ここで、Ｇは、前記ＶＲＢ群のサイズであり、
【数３５】
2021517418.tif 000037
は、現在のシステム帯域幅又は活性帯域幅部分におけるＰＲＢ又はＶＲＢの数であり、且つＧは、１以上の整数である。
【００７７】
なお、図８において、バスアーキテクチャは、任意数の相互接続するバスとブリッジを含み、具体的に、プロセッサ８０１をはじめとする１つ又は複数のプロセッサとメモリ８０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８０４は、複数の部品であってもよく、即ち送信機と受信機を含み、伝送媒体でほかの各種類の装置と通信するユニットを提供する。ユーザ端末によっては、ユーザインタフェース８０５は、内部接続や外部接続する機器のインタフェースであってもよい。接続する機器は、キーパッド、ディスプレイ、スピーカ、マイクロフォン、ジョイスティックなどを含むが、それらに限られない。プロセッサ８０１は、バスアーキテクチャと通常の処理を管理する。メモリ８０３は、プロセッサ８０１による作業時に使用されるデータを記憶できる。
【００７８】
当業者であれば、上述の実施例を実現するステップの全て又は一部は、ハードウェアによって実行されてもよく、上述の方法のステップの一部又は全てを実行する命令を含むコンピュータプログラムによって関連ハードウェアを指示して実行されてもよい。また、該コンピュータプログラムは、読み取り可能な記憶媒体に記憶されていてもよく、記憶媒体は、任意の形式の記憶媒体であってもよい。
【００７９】
本開示の実施例による端末は、上記の方法実施例を実行可能であり、その実現原理及び技術的効果が類似であるため、本実施例においてここでは繰り返して記載しない。
【００８０】
本開示の具体的な実施例は、基地局に適用されるリソース割当装置を更に提供する。図９に示すように、前記装置は、ＶＲＢ群を割当粒度として端末に割り当てる周波数領域リソースのリソース位置を指示するリソース割当指示情報を含むＤＣＩを端末に送信する送信モジュール９１０を含む。
【００８１】
選択可能に、前記送信モジュール９１０は、更に、上位層シグナリング又はグループ共通（ｇｒｏｕｐ  ｃｏｍｍｏｎ）ＰＤＣＣＨに載せられたＬ１信号で前記ＶＲＢ群のサイズを前記端末に通知する。
【００８２】
選択可能に、図９に示すように、前記リソース割当装置は、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する第１処理モジュール９２０を更に含む。
【００８３】
本開示の実施例において、選択可能に、前記リソース割当装置は、式１：
【数３６】
2021517418.tif 000038
又は式２：
【数３７】
2021517418.tif 000039
で前記リソース割当指示情報のビット数を特定する第２処理モジュール９３０を更に含み、ここで、Ｇは、前記ＶＲＢ群のサイズであり、
【数３８】
2021517418.tif 000040
は、現在のシステム帯域幅又は活性帯域幅部分におけるＰＲＢ又はＶＲＢの数であり、且つＧは、１以上の整数である。
【００８４】
本開示の具体的な実施例は、端末に適用されるリソース割当装置を更に提供する。図１０に示すように、前記装置は、ＶＲＢ群を割当粒度として前記端末に割り当てる周波数領域リソースのリソース位置を指示するリソース割当指示情報を含むＤＣＩを基地局から受信する受信モジュール１００１と、基地局により前記端末に割り当てる周波数領域リソースを前記リソース割当指示情報に基づいて特定する判定モジュール１００２とを含む。
【００８５】
本開示の実施例において、選択可能に、前記受信モジュール１００１は、更に、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する。
【００８６】
選択可能に、前記判定モジュール１００２は、更に、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する。
【００８７】
選択可能に、前記判定モジュール１００２は、更に、前記ＶＲＢ群のサイズと現在のシステム帯域幅又は活性帯域幅部分のサイズに基づいて、前記リソース割当指示情報のビット数を特定し、基地局により割り当てるＶＲＢ群を前記リソース割当指示情報に基づいて特定する。
【００８８】
選択可能に、前記判定モジュール１００２は、式１：
【数３９】
2021517418.tif 000041
又は式２：
【数４０】
2021517418.tif 000042
で前記リソース割当指示情報のビット数を特定する。ここで、Ｇは、前記ＶＲＢ群のサイズであり、
【数４１】
2021517418.tif 000043
は、現在のシステム帯域幅又は活性帯域幅部分におけるＰＲＢ又はＶＲＢの数であり、且つＧは、１以上の整数である。
【００８９】
本開示の具体的な実施例の別の態様として、コンピュータプログラムが記憶されているコンピュータ読み取り可能な記憶媒体を更に提供し、前記コンピュータプログラムがプロセッサによって実行されると、以上のリソース割当方法の実施例の各プロセスが実現され、且つ同じ技術効果を奏するので、重複を避けるために、ここでは繰り返して記載しない。ここで、前記コンピュータ読み取り可能な記憶媒体とは、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク、光ディスクなどである。
【００９０】
上記の記載から、当業者は、本開示に記載のリソース割当方法を実行するコンピュータ読み取り可能な記憶媒体の具体的な構造を理解することができ、ここで詳しく説明しない。
【００９１】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【００９２】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【００９３】
以上、本開示の実施例を図面とともに記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【００９４】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021517418.tif 000062
【図２】
2021517418.tif 000063
【図３】
2021517418.tif 000064
【図４】
2021517418.tif 000065
【図５】
2021517418.tif 000066
【図６】
2021517418.tif 000067
【図７】
2021517418.tif 000068
【図８】
2021517418.tif 000069
【図９】
2021517418.tif 000070
【図１０】
2021517418.tif 000071
【図１１】
2021517418.tif 000072
【図１２】
2021517418.tif 000073
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
基地局に適用されるリソース割当方法であって、
ＶＲＢ（Ｖｉｒｔｕａｌ  Ｒｅｓｏｕｒｃｅ  Ｂｌｏｃｋ）群を割当粒度として端末に割り当てる周波数領域リソースのリソース位置を指示するリソース割当指示情報を含むＤＣＩ（Ｄｏｗｎｌｉｎｋ  Ｃｏｎｔｒｏｌ  Ｉｎｆｏｒｍａｔｉｏｎ）を端末に送信することを含む、リソース割当方法。
【請求項２】
上位層シグナリング又はグループ共通（ｇｒｏｕｐ  ｃｏｍｍｏｎ）ＰＤＣＣＨ（Ｐｈｙｓｉｃａｌ  Ｄｏｗｎｌｉｎｋ  Ｃｏｎｔｒｏｌ  Ｃｈａｎｎｅｌ）に載せられたＬ１信号で前記ＶＲＢ群のサイズを端末に通知することを更に含む、請求項１に記載のリソース割当方法。
【請求項３】
現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定することを更に含む、請求項１に記載のリソース割当方法。
【請求項４】
式１：
【数４２】
2021517418.tif 000074
又は式２：
【数４３】
2021517418.tif 000075
で前記リソース割当指示情報のビット数を特定することを更に含み、
ここで、Ｇは、前記ＶＲＢ群のサイズであり、
【数４４】
2021517418.tif 000076
は、現在のシステム帯域幅又は活性帯域幅部分におけるＰＲＢ（Ｐｈｙｓｉｃａｌ  Ｒｅｓｏｕｒｃｅ  Ｂｌｏｃｋ）又はＶＲＢの数であり、且つＧは、１以上の整数である、請求項１に記載のリソース割当方法。
【請求項５】
端末に適用されるリソース割当方法であって、
ＶＲＢ群を割当粒度として前記端末に割り当てる周波数領域リソースのリソース位置を指示するリソース割当指示情報を含むＤＣＩを基地局から受信することと、
前記基地局により前記端末に割り当てる周波数領域リソースを前記リソース割当指示情報に基づいて特定することとを含む、リソース割当方法。
【請求項６】
前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得することを更に含む、請求項５に記載のリソース割当方法。
【請求項７】
現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定することを更に含む、請求項５に記載のリソース割当方法。
【請求項８】
前記の基地局により前記端末に割り当てる周波数領域リソースを前記リソース割当指示情報に基づいて特定することは、
前記ＶＲＢ群のサイズと現在のシステム帯域幅又は活性帯域幅部分のサイズに基づいて、前記リソース割当指示情報のビット数を特定することと、
基地局により割り当てるＶＲＢ群を前記リソース割当指示情報に基づいて特定することとを含む、請求項５に記載のリソース割当方法。
【請求項９】
前記の前記ＶＲＢ群のサイズと現在のシステム帯域幅又は活性帯域幅部分のサイズに基づいて、前記リソース割当指示情報のビット数を特定することにおいて、式１：
【数４５】
2021517418.tif 000077
又は式２：
【数４６】
2021517418.tif 000078
で前記リソース割当指示情報のビット数を特定し、ここで、Ｇは、前記ＶＲＢ群のサイズであり、
【数４７】
2021517418.tif 000079
は、現在のシステム帯域幅又は活性帯域幅部分におけるＰＲＢ又はＶＲＢの数であり、且つＧは、１以上の整数である、請求項８に記載のリソース割当方法。
【請求項１０】
基地局に適用されるリソース割当装置であって、
ＶＲＢ群を割当粒度として端末に割り当てる周波数領域リソースのリソース位置を指示するリソース割当指示情報を含むＤＣＩを端末に送信する送信モジュールを含む、リソース割当装置。
【請求項１１】
前記送信モジュールは、更に、上位層シグナリング又はグループ共通（ｇｒｏｕｐ  ｃｏｍｍｏｎ）ＰＤＣＣＨに載せられたＬ１信号で前記ＶＲＢ群のサイズを端末に通知する、請求項１０に記載のリソース割当装置。
【請求項１２】
現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する第１処理モジュールを更に含む、請求項１０に記載のリソース割当装置。
【請求項１３】
式１：
【数５４】
2021517418.tif 000080
又は式２：
【数５５】
2021517418.tif 000081
で前記リソース割当指示情報のビット数を特定する第２処理モジュールを更に含み、ここで、Ｇは、ＶＲＢ群のサイズであり、
【数５６】
2021517418.tif 000082
は、現在のシステム帯域幅又は活性帯域幅部分におけるＰＲＢ又はＶＲＢの数であり、且つＧは、１以上の整数である、請求項１０に記載のリソース割当装置。
【請求項１４】
端末に適用されるリソース割当装置であって、
ＶＲＢ群を割当粒度として前記端末に割り当てる周波数領域リソースのリソース位置を指示するリソース割当指示情報を含むＤＣＩを基地局から受信する受信モジュールと、
基地局により前記端末に割り当てる周波数領域リソースを前記リソース割当指示情報に基づいて特定する判定モジュールとを含む、リソース割当装置。
【請求項１５】
前記受信モジュールは、更に、前記基地局により指示される前記ＶＲＢ群のサイズを、上位層シグナリング又はグループ共通（ｇｒｏｕｐ  ｃｏｍｍｏｎ）ＰＤＣＣＨに載せられたＬ１信号で取得する、請求項１４に記載のリソース割当装置。
【請求項１６】
前記判定モジュールは、更に、現在のシステム帯域幅又は活性帯域幅部分のサイズ及び予めセットされたシステム帯域幅又は活性帯域幅部分と前記ＶＲＢ群のサイズとの対応関係に基づいて、前記ＶＲＢ群のサイズを特定する、請求項１４に記載のリソース割当装置。
【請求項１７】
前記判定モジュールは、更に、ＶＲＢ群のサイズと現在のシステム帯域幅又は活性帯域幅部分のサイズに基づいて、前記リソース割当指示情報のビット数を特定し、基地局により割り当てるＶＲＢ群を前記リソース割当指示情報に基づいて特定する、請求項１４に記載のリソース割当装置。
【請求項１８】
前記判定モジュールは、式１：
【数５７】
2021517418.tif 000083
又は式２：
【数５８】
2021517418.tif 000084
で前記リソース割当指示情報のビット数を特定し、ここで、Ｇは、ＶＲＢ群のサイズであり、
【数５９】
2021517418.tif 000085
は、現在のシステム帯域幅又は活性帯域幅部分におけるＰＲＢ又はＶＲＢの数であり、且つＧは、１以上の整数である、請求項１７に記載のリソース割当装置。
【請求項１９】
コンピュータプログラムが記憶されているコンピュータ読み取り可能な記憶媒体であって、
前記コンピュータプログラムがプロセッサによって実行されると、請求項１〜４のいずれか１項に記載のリソース割当方法又は請求項５〜９のいずれか１項に記載のリソース割当方法が実現される、コンピュータ読み取り可能な記憶媒体。
【国際調査報告】
2021517418.tif 000086
2021517418.tif 000087
2021517418.tif 000088
2021517418.tif 000089